(57)【特許請求の範囲】
【請求項１】
荷重ケーブル（３）のための複数の出入口用開口（７）を有するカバーフード（６）に囲まれた少なくとも１つのケーブルプーリー（２）を備えるプーリーブロック、特に、ホイストのための下側ブロック（１）であって、前記出入口用開口（７）のうちの少なくとも１つには、カバー要素（８）が挿入されており、前記カバー要素は、前記出入口用開口（７）の縁（７ａ）の後側で係合する保持ストリップ（８ｃ）により前記出入口用開口（７）に保持されており、前記カバー要素（８）は、前記荷重ケーブル（３）のための開口（９）を有し、前記カバー要素（８）における前記開口（９）は、前記カバーフード（６）における前記出入口用開口（７）よりも小さい構成において、前記カバー要素（８）は、少なくとも第１カバー部（８ｆ）と第２カバー部（８ｇ）とに分割されており、当該分割により、前記カバー要素（８）を前記カバーフード（６）に取り付けるために、前記荷重ケーブル（３）が通された状態において、前記第１カバー部（８ｆ）及び前記第２カバー部（８ｇ）に設けられた前記保持ストリップ（８ｃ）を用いてこれらのカバー部を前記出入口用開口（７）に挿入し、次に、これらのカバー部を、前記出入口用開口（７）の前記縁（７ａ）の後側で係合させ、最後に、互いに連結することにより、装着状態において前記カバー要素（８）を形成することができることを特徴とする、プーリーブロック。
【請求項２】
前記ケーブルプーリー（２）の周方向に見て、前記第１カバー部（８ｆ）には、前記出入口用開口（７）の対応側縁（７ａ）に用いられる前記保持ストリップ（８ｃ）の一部が設けられており、前記第２カバー部（８ｇ）には、前記出入口用開口（７）の他の対応側縁（７ａ）に用いられる前記保持ストリップ（８ｃ）の他の一部が設けられていることを特徴とする、請求項１に記載のプーリーブロック。
【請求項３】
前記第１カバー部（８ｆ）及び前記第２カバー部（８ｇ）は、装着状態において、着脱自在に互いに連結していることを特徴とする、請求項１又は２に記載のプーリーブロック。
【請求項４】
前記カバー要素（８）は、前記ケーブルプーリー（２）の径方向に配向されるとともに前記カバー要素（８）の前記開口（９）の領域に延在する平面において、前記第１カバー部（８ｆ）と前記第２カバー部（８ｇ）とに分割されていることを特徴とする、請求項１〜３のいずれか１つに記載のプーリーブロック。
【請求項５】
前記出入口用開口（７）は、スロット形状を有し、前記カバー要素（８）は、前記出入口用開口（７）内において、前記ケーブルプーリー（２）の周方向に変位可能であることを特徴とする、請求項１〜４のいずれか１つに記載のプーリーブロック。
【請求項６】
前記カバー要素（８）は、外側から前記出入口用開口（７）を覆うとともに、前記保持ストリップ（８ｃ）を用いて、前記出入口用開口（７）の前記縁（７ａ）の内側に係合することを特徴とする、請求項１〜５のいずれか１つに記載のプーリーブロック。
【請求項７】
前記カバー要素（８）は、主ストリップ（８ａ）と、ウェブストリップ（８ｄ）と、保持ストリップ（８ｃ）と、を含み、これらのストリップは全体でＨ字形状の断面を有し、前記保持ストリップ（８ｃ）は、そのガイド面（８ｅ）が、前記出入口用開口（７）の領域において、前記カバーフード（６）の内面（６ｅ）に当接していることを特徴とする、請求項１〜６のいずれか１つに記載のプーリーブロック。
【請求項８】
前記カバー要素（８）は、一端で三角形状に広がり、前記荷重ケーブル（３）のための前記開口（９）を有するガイド領域（８ｂ）を形成し、前記開口は、通路（９ａ）として形成されていることを特徴とする、請求項１〜７のいずれか１つに記載のプーリーブロック。
【請求項９】
前記ガイド領域（８ｂ）における前記カバー要素（８）は、前記第１カバー部（８ｆ）と前記第２カバー部（８ｇ）とに分割されており、前記ガイド領域（８ｂ）における前記保持ストリップ（８ｃ）は、前記カバー要素（８）に設けられていることを特徴とする、請求項８に記載のプーリーブロック。
【請求項１０】
上記請求項１〜９のいずれか１つに記載の前記プーリーブロック（１）にカバー要素（８）を取り付けるための方法であって、前記第１カバー部（８ｆ）における前記保持ストリップ（８ｃ）の部分を用いて、前記第１カバー部を、前記荷重ケーブル（３）に沿って前記出入口用開口（７）に挿入し、次に、前記第１カバー部（８ｆ）を、前記ケーブルプーリー（２）の軸方向に変位させて、前記保持ストリップ（８ｃ）の前記部分を、前記出入口用開口（７）の前記対応側縁（７ａ）の後側で係合させ、次に、前記第２カバー部（８ｇ）における前記保持ストリップ（８ｃ）の部分を用いて、前記第２カバー部を、前記第１カバー部（８ｆ）に占有されていない前記出入口用開口（７）の部分に挿入し、次に、前記第２カバー部（８ｇ）を、前記ケーブルプーリー（２）の軸方向に変位させて、前記保持ストリップ（８ｃ）の前記部分を、前記出入口用開口（７）の前記他の対応側縁（７ａ）の後側で係合させ、且つ、前記第２カバー部（８ｇ）を、前記出入口用開口（７）において、前記ケーブルプーリー（２）の周方向に沿って前記第１カバー部（８ｆ）に向かって変位させて、前記荷重ケーブル（３）のための前記開口（９）の前記各部分を結合することにより、共通の開口（９）を形成し、次に、前記第１カバー部（８ｇ）及び前記第２カバー部（８ｇ）を、互いに前記ケーブルプーリー（２）の軸方向に押し合わせて、互いに着脱自在に連結させることを特徴とする、方法。
【発明の詳細な説明】
【技術分野】
【０００１】
本発明は、請求項１のプリアンブルによるプーリーブロックに関する。本発明は、さらに、カバー要素を対応するプーリーブロックに取り付けるための方法に関する。
【０００２】
欧州特許第１４５７４５５号Ｂ１は、ホイストの下側ブロックとして構成されたプーリーブロックを開示している。下側ブロックは、基本的に、中央の接続要素を備えており、当該接続要素は、その両端に回転可能に取り付けられたケーブルプーリー用の軸としての機能と、荷重フックの受容要素としての機能とを有する。荷重フックは、垂直軸を中心として回転可能なように、接続要素の下側に取り付けられている。２つのケーブルプーリーは、互いに同軸上となるように、接続要素の両側に回転可能に取り付けられている。ケーブルプーリーには、ホイストまで延びる荷重ケーブルが巻き掛けられている。ケーブルプーリーは、事故防止手段としてのカバーフードを備える。カバーフードは、作業者の指や手がケーブルとケーブルプーリーとの間に引き込まれたり挟まれたりすることを防止するためのものである。カバーフードは、ケーブルプーリーの外形に対応して略円盤形状を有しており、取り付けのために、ケーブルプーリーの軸方向において分割されている。長手方向の境界は、カバー形状の外側フード部が形成されるように延びている。この外側フード部は、ケーブルプーリーを覆うように外側から横方向に適切に配置され、内側フード部に当接した部分で固定されている。２つのフード部の周方向の分離線は、ケーブルプーリーの半径方向に見て、ケーブルプーリーのケーブル溝のほぼ中央の領域に延びている。内側フード部は、環状であり、外側フード部に接する外周縁を有する。また、この内側フード部は、接続要素と一体化したコンポーネントである。各カバーフードは、ケーブルプーリーに巻き掛けられた荷重ケーブルがカバーフードに出入りするための２つの出入口用開口を有する。
【０００３】
ケーブル用開口は、ケーブルプーリーのケーブル溝の幅にほぼ対応する幅、したがって荷重ケーブルの直径の約３倍に対応する幅を有する。ケーブル用開口の長さは、ケーブルプーリー又はカバーフードの周縁に対して約９０°の範囲に相当し、カバーフードの上側領域には、２つの出入口用開口を分離する架橋部が設けられている。カバーフードの上部中央を角度ゼロの点とすると、第１出入口用開口は、ほぼ１５°から１０５°の点まで延び、第２出入口用開口は、２５５°から３４５°の点まで延びている。出入口用開口は、ケーブルプーリーの周方向に沿ってこのように長く延びているが、この理由は、荷重ケーブルの２つのストランド間の開き角度が、ホイストの構成、及び、ホイストと下側ブロックとの間の離間距離に応じて、約０°〜３０°の間で変化しうるからである。これに対応して、ケーブルプーリーに対する荷重ケーブルの係合離脱点は、出入口用開口の領域において、ケーブルプーリーの周方向に移動する。ケーブルの直径は、出入口用開口の長さに比してわずかなものである。このため、各出入口用開口には、ケーブル用の開口を除き当該出入口用開口を閉じるカバー要素が取り付けられる。この開口は、ケーブルの直径より僅かに大きいだけである。したがって、下側ブロックの作業者の手や指が、荷重ケーブルによって出入口用開口に残るすきまに引き込まれるのを防止することができる。このカバー要素は、ケーブルプーリーの周方向に変位可能であるように、スロット形状の出入口用開口に保持されている。このため、出入口用開口におけるケーブルの係合離脱点の変位に応じて移動しうる。この例では、カバー要素は、外側から出入口用開口を覆う一方、ケーブルプーリーの周方向に見て、出入口用開口に対するカバー要素の中央位置に示されるように、出入口用開口の中央領域において、内向きＵ字形状の形態でケーブル用開口の縁と係合している。カバー要素は、実質的には、上側主ストリップと、狭ウェブストリップと、下側保持ストリップとからなり、Ｈ字形状の断面を有する。また、カバー要素は、合成材料射出成形部品として一体成形される。カバー要素を取り付ける際、このカバー要素をケーブルの一端に沿ってスライドさせる必要があり、またスロット形状の出入口用開口を広げて下側保持ストリップを挿入するために、外側フード部を少なくとも緩める必要がある。
【０００４】
ドイツ特許第１０２００８０５９０７１号Ｂ３は、分割可能なカバー要素を有するプーリーブロックを開示している。カバー要素は、プーリーブロックのカバーフードの出入口用開口に挿入されて、当該出入口用開口よりも下側に押し込まれる。このとき、挿入されたカバー要素は、上方からカバーフードを通って係合したり、当該フードの後側で係合したりしていない。
【０００５】
さらに、ドイツ特許第１０２００８０５９０７４号Ｂ３、ドイツ公開第１９６０２９３１号Ａ１、米国特許第６，３８６，５１６号Ｂ１、米国特許第２，６５０，４０３号Ａ、及び、米国特許第２，７２８，５５２号Ａにおいて、他のプーリーブロックが開示されている。
【先行技術文献】
【特許文献】
【０００６】
【特許文献１】欧州特許第１４５７４５５号Ｂ１
【特許文献２】ドイツ特許第１０２００８０５９０７１号Ｂ３
【特許文献３】ドイツ特許第１０２００８０５９０７４号Ｂ３
【特許文献４】ドイツ公開第１９６０２９３１号Ａ１
【特許文献５】米国特許第６，３８６，５１６号Ｂ１
【特許文献６】米国特許第２，６５０，４０３号Ａ
【特許文献７】米国特許第２，７２８，５５２号Ａ
【発明の概要】
【０００７】
本発明の目的は、ホイスト用の、保守容易性を有する改良型のプーリーブロック、特に下側ブロックを提供することである。
【０００８】
本発明によれば、この目的は、請求項１の各特徴を有するプーリーブロックにより達成される。従属する請求項には、このプーリーブロックの有利な実施態様が記載されている。上記目的は、請求項１０によるプーリーブロックにカバー要素を取り付けるための方法によっても達成される。
【０００９】
本発明によれば、カバーフードに囲まれた少なくとも１つのケーブルプーリーを有するプーリーブロック、特に、ホイストのための下側ブロックであって、前記カバーフードが、荷重ケーブルのための複数の出入口用開口を有し、前記出入口用開口のうちの少なくとも１つには、カバー要素が挿入されており、前記カバー要素が、前記出入口用開口の縁の後側で係合する保持ストリップにより前記出入口用開口に保持されており、前記カバー要素が、前記荷重ケーブルのための開口を有し、前記カバー要素における前記開口が、前記カバーフードにおける前記出入口用開口よりも小さいプーリーブロックにおいて、前記カバー要素が、少なくとも第１カバー部と第２カバー部とに分割されている。この分割により、前記カバー要素を前記カバーフードに取り付けるために、前記荷重ケーブルが通された状態において、前記第１カバー部及び前記第２カバーの保持ストリップを用いてこれらのカバー部を前記出入口用開口に挿入し、次に、これらのカバー部を、前記出入口用開口の前記縁の後側で係合させ、最後に、互いに連結することにより、装着状態において前記カバー要素を形成することができるため、メンテナンスを容易に行うことができる。これにより、取り付け作業のために、荷重ケーブルを再度通したり、カバーフードのフード部分を開いて出入口用開口を広げたりする必要性を排除することができる。
【００１０】
比較的小さい開口を有するカバー要素により、作業者の手や指が、荷重ケーブルによってカバーフードのケーブル用開口に引き込まれることを回避することができる。さらに、カバー要素は、カバーフードに出入りする荷重ケーブルが、カバーフードの出入口用開口の縁で擦れて摩耗することを防止するため、有利である。また、埃、泥、及び湿気の侵入に対してケーブルプーリーをより効果的に保護することができる。
【００１１】
有利な点として、前記ケーブルプーリーの周方向に見て、前記第１カバー部には、前記出入口用開口の対応側縁に用いられる前記保持ストリップの一部が設けられており、前記第２カバー部には、前記出入口用開口の他の対応側縁に用いられる前記保持ストリップの他の一部が設けられている。この結果、前記出入口用開口の領域において、前記カバー要素を前記カバーフードに容易に固定することができる。
【００１２】
前記第１カバー部及び前記第２カバー部は、装着状態において、着脱自在に互いに連結している。このため、摩耗時のカバー要素の交換を容易に行うことができる。この着脱自在な連結は、特に、ネジを用いた連結によって実現することができる。
【００１３】
前記カバー要素は、前記ケーブルプーリーの径方向に配向されるとともに前記カバー要素の前記開口の領域に延在する平面において、前記第１カバー部と前記第２カバー部とに分割されている。このため、取り付けを特に容易に行うことができる。
【００１４】
前記出入口用開口は、スロット形状を有し、前記カバー要素は、前記出入口用開口において、前記ケーブルプーリーの周方向に変位可能である。このため、前記カバー要素は、特に耐久性に優れている。
【００１５】
前記カバー要素は、外側から前記出入口用開口を覆うとともに、前記保持ストリップを用いて、前記出入口用開口の前記縁の周囲で内的に係合する。これにより、前記カバー要素を、前記カバーフードに容易に固定することができる。
【００１６】
特に単純な設計においては、前記カバー要素は、主ストリップと、ウェブストリップと、保持ストリップとを含み、これらのストリップは全体でＨ字形状の断面を有し、前記保持ストリップは、そのガイド面が、前記出入口用開口の領域において、前記カバーフードの内面に当接している。
【００１７】
前記荷重ケーブルを用いた効果的な誘導を実現するために、前記カバー要素は、一端で三角形状に広がり、前記荷重ケーブルのための前記開口を有するガイド領域を形成し、前記開口は、通路として形成されている。
【００１８】
取り付けを容易に行うためには、前記ガイド領域における前記カバー要素が、前記第１カバー部と前記第２カバー部とに分割され、前記ガイド領域における前記保持ストリップが、前記カバー要素に設けられていればよい。
【００１９】
本発明によれば、前記プーリーブロックに前記カバー要素を取り付けるための方法においては、前記第１カバー部における前記保持ストリップの部分を用いて、前記第１カバー部を、前記荷重ケーブルに沿って前記出入口用開口に挿入し、次に、前記第１カバー部を、前記ケーブルプーリーの軸方向に変位させて、前記保持ストリップの前記部分を、前記出入口用開口の前記対応側縁の後側で係合させ、次に、前記第２カバー部における前記保持ストリップの部分を用いて、前記第２カバー部を、前記第１カバー部に占有されていない前記出入口用開口の部分に挿入し、次に、前記第２カバー部を、前記ケーブルプーリーの軸方向に変位させて、前記保持ストリップの前記部分を、前記出入口用開口の他の反対側の対応縁の後側で係合させ、且つ、前記第２カバー部を、前記出入口用開口において、前記ケーブルプーリーの周方向に沿って前記第１カバー部に向かって変位させて、前記荷重ケーブルのための前記開口の前記各部分を結合することにより、共通の開口を形成し、次に、前記第１カバー部及び前記第２カバー部を、互いに前記ケーブルプーリーの軸方向に押し合わせて、互いに着脱自在に連結させることにより、前記カバー要素を前記カバーフードに容易に取り付けることができる。これにより、取り付け作業を行うために、荷重ケーブルを再度通して、フード部分を開いて出入口用開口を広げなければならないような状況を避けることができる。
【００２０】
本発明の例示的な実施形態を以下で詳細に説明し、図に示す。
【図面の簡単な説明】
【００２１】
【図１】下側ブロックとして設計されるとともに２つのケーブルプーリーを含む、本発明によるプーリーブロックを示す斜視図である。
【図２】図１に示す下側ブロックを、ケーブルプーリーのカバーフードの領域で切断した様子を示す正面図であり、同図において、カバー要素は第１位置に配置されている。
【図３】図２において、カバー要素を第２位置に配置した状態を示す図である。
【図４】カバーフードを示す側面図である。
【図５】図４を部分的に断面で示す図である。
【図６】図４の断面図である。
【図７】カバー要素の第１カバー部を示す斜視図である。
【図８】カバー要素の第２カバー部を示す斜視図である。
【図９ａ−９ｄ】下側ブロックのカバーフードに対するカバー要素の取り付けを説明するための、カバー要素の第１及び第２のカバー部を示す一連の斜視図である。
【発明を実施するための形態】
【００２２】
図１は、本発明によるプーリーブロックを示す斜視図である。このプーリーブロックは、下側ブロック１として設計されており、ケーブルプーリー２（図２も参照）に巻き掛けられた二対の荷重ケーブル３によって、ホイスト（図示略）から吊り下げられている。図１においては、各々の場合において下側ブロック１を出入りする二対の荷重ケーブル３のうちの３本のストランドのみが示されており、４本目のストランドは、下側ブロック１の背後にある。下側ブロック１は、主な要素として中央接続要素４を備えており、この中央接続要素は、当該中央接続要素に横方向に取り付けられた２つのケーブルプーリー２と、当該中央接続要素の下側に吊り下げられた１つの荷重フック５とを有する。荷重フック５は、垂直軸を中心として回転できるように、図示していない軸ベアリングを介して接続要素４の凹部に取り付けられている。互いに同軸上に配置されるとともに接続要素４を介して互いに離間するケーブルプーリー２は、各々が、カバーフード６により囲まれている。このカバーフードは、ケーブルプーリー２の軸方向に見ると、ケーブルプーリー２の面において外側フード部６ａと内側フード部６ｂとに分かれている。２つのフード部６ａ、６ｂは同一の構成を有する。外側フード部６ａ及び内側フード部６ｂは、各々が、外周が円弧状の縁６ｃを有する扁平なリング状ディスクとして設計される。したがって、外側フード部６ａ及び内側フード部６ｂは、椀状又は板状である。外側フード部６ａは、装着状態において、その縁６ｃが内側フード部６ｂの縁６ｃに当接するように配置される。したがって、２つのフード部６ａ、６ｂは、ケーブルプーリー２を受容するための扁平筒状の空洞を画定している。フード部６ａ、６ｂの縁６ｃにおける対応する穴に挿入される位置決めスリーブにより、２つのフード部６ａ、６ｂを、互いに正確な角度で容易に取り付けることができる。
【００２３】
各カバーフード６には、荷重ケーブル３をケーブルプーリー２に掛け回したり、ケーブルプーリー２から外したりすることを可能にする２つの出入口用開口７が設けられている（図４も参照）。ケーブルプーリー２又はカバーフード６の周方向に見て、これらの出入口用開口７は、荷重ケーブル３の直径の倍数に対応する長さＬを有するとともにスロット形状を有する。長さＬは、カバーフード６の周縁の６分の１に対応する。先行技術に関する説明の導入部分で既に説明したように、この長さＬが必要な理由は、ホイストの動作中に、荷重ケーブル３のストランド間の角度が変化して、ケーブルプーリー２から離脱する荷重ケーブル３の係合離脱点１０（図２を参照）が変動するからである。したがって、出入口用開口７の上記長さＬにより、荷重ケーブル３が出入口用開口７の縁７ａに当たって擦れたり、カバーフード６又は荷重ケーブル３に損傷を与えるのを防ぐことができる。
【００２４】
このように比較的大きな出入口用開口７は、各々が、カバー要素８によって少なくとも部分的に閉じられる。当該カバー要素は、荷重ケーブル３をケーブルプーリー２から、或いはケーブルプーリー２に向かって誘導するための開口９を有する。作業者が下側ブロック１を操作する位置である、下側ブロック１の下降位置において、各入口及び出口開口７は、カバー要素８によって完全に閉じられている。下側ブロック１の最高上昇位置よりも数メートル前において荷重ケーブル３のストランドが広がると、カバー要素８が周方向Ｕにおいて下方に変位して、各カバー要素が出入口用開口７の上部を露出させる。作業者は、上昇位置では下側ブロック１を操作しないので、出入口用開口７を部分的に露出させても安全面での危険性はない。
【００２５】
荷重ケーブル３の開口９は、荷重ケーブル３の直径よりも僅かに大きく、角を丸めた矩形断面を有し、その幅と長さは、荷重ケーブル３の直径に対して、２：１〜３：１の割合である。このため、入ってくる荷重ケーブル３によって、作業者が出入口用開口７に指や手を引き込まれる危険性を大幅に低減することができる。下側ブロック１の動作中、すなわち昇降中、ケーブルプーリー２からの荷重ケーブル３の係合離脱点１０が変化するという上述した事実を考慮に入れて、カバーフード６の周方向Ｕにカバー要素８を変位させることにより、所定の上端位置および下端位置の間の往復運動を可能にすることができる。
【００２６】
カバー要素８は、主たる要素として、上側主ストリップ８ａを備えている。この上側主ストリップは、カバーフード６の縁６ｃに対応して円形状に湾曲するとともに、フード部６ａ、６ｂの縁６ｃの領域において当該フード部６ａ、６ｂの外面６ｄに沿うように配置されている。これにより、主ストリップ８ａは、入口及び出口用開口７ａの各々を覆っている。カバー要素８の下端を起点とし、カバーフード６の周方向Ｕに見ると、主ストリップ８ａは、その中心から徐々に広がることにより、荷重ケーブル３のためのガイド領域８ｂを形成している。このガイド領域は、実質的には直角三角形状であり、その斜辺は、主ストリップ８ａにより形成されるとともに、フード部６ａ、６ｂの縁６ｃに対応して湾曲している。ガイド領域８ｂ以外の部分では、主ストリップ８ａは、扁平な帯状である。
【００２７】
また、図１に示すように、カバー要素８には、荷重ケーブル３のための開口９が形成されており、この開口は、主ストリップ８ａから、ガイド領域８ｂの２つの外辺部のうちの上方の外辺部に延びる通路９ａとして形成されている。通路９ａの長手方向は、ケーブルプーリー２を含む面において、ケーブルプーリー２からの荷重ケーブル３の係合離脱点１０とケーブルプーリー２の中心点Ｍとを通る概念上の直線に対して９０°の角度をなしている。
【００２８】
さらに、図１に示すように、作業者が容易に取り扱いできるように、下側ブロック１は、凹状把持部１１を有する。この把持部は、接続要素４の領域において、上面が開口するとともに水平方向に延びており、２つのカバーフード６間の間隔に対応する幅を有している。
【００２９】
さらに図１に示すように、カバー要素８は、第１カバー部８ｆと第２カバー部８ｇとに分かれている。この分割は、カバー要素８のガイド領域８ｂにおいて行われており、ケーブルプーリー２の径方向に平行であって、ケーブルプーリー２の中心点Ｍと交差する平面で実現される。この平面は、カバー要素８に対して中心に配向されるのではなく、カバー要素８の幅に対して、カバー要素８の幅の約２／３〜１／３のところに配向されている。一例として、第１カバー部８ｆは、カバー要素８の幅の２／３の幅を有する。このため、カバー要素８の幅の中心を断面位置とすれば、図２及び３に示すように、第１カバー部８ｆのみが断面で表される。カバー要素８が分割可能であるため、第１取り付けステップにおいて、第１カバー部８ｆを出入口用開口７に挿入し、第２取り付けステップにおいて、第２カバー部８ｇを出入口用開口７に挿入することにより、第１カバー部を所定の位置にロックすることが可能になる。取り付け作業の終了時には、第２カバー部８ｇは第１カバー部８ｆに対して着脱自在に固定されている。
【００３０】
図２及び３の各々には、２つのケーブルプーリー２のうちの一方の断面が示されている。これらの図においては、さらに、隣接するカバーフード６と、カバー要素８とが示されており、当該カバー要素８に関しては、荷重ケーブル３のストランドが互いに異なる２つの角度位置にあるため、ケーブル用開口７においてカバー要素が２つの異なる変位位置に配置されている。明瞭化のため、荷重ケーブル３は図示していない。
【００３１】
図２において、２つのカバー要素８の各々は、出入口用開口７のいわゆる基準位置に配置されている。この位置においては、下側ブロック１は、ホイストの下方において垂直に吊り下げられており、荷重ケーブル３の２つのストランドは、互いにほぼ平行に延びている。この基準位置において、下側ブロック１は、作業者が、好ましくは把持部１１を用いて下側ブロック１をガイド及び／又は管理する領域に吊り下げられている。このとき、出入口用開口７の各々は、カバー要素８により完全に覆われている。開口９の通路９ａは、ほぼ垂直に延びており、荷重ケーブル３と平行であることが分かる。この場合、重力により、ケーブルプーリー２に対して内側に配置された通路９ａの内壁が、反対側の荷重ケーブル３に対向する荷重ケーブル３の側面に接する。これは、出入口用開口７における摩擦が比較的低い状態で、カバー要素８が、カバーフード６の周方向に変位可能に誘導されるからである。カバー要素８は非常に軽量であるため、荷重ケーブル３とカバー要素８の通路９ａとの間に生じる摩擦力は小さい。さらに、カバー要素８は、耐摩耗性の高い材料からなる合成材料射出成形部品として作製される。
【００３２】
図３は、図２に示す基準位置からずれた変位位置にある２つのカバー要素８を示す。同図において、荷重ケーブル３の２つのストランドは、例えば、５０°の角度をなしているため、２つのカバー要素８は、下方変位位置に配置されている。この場合、下側ブロック１は、最も高い位置においてクレーントロリーの下で吊り下げられているため、ユーザによる接触はできない。この変位位置においては、出入口用開口７の上部は、カバー要素８で覆われていないが、この理由は、安全面から、そのようなことをする必要がないからである。原則的に、カバー要素８の長さは、基準位置においても変位位置においても出入口用開口７の各々が完全に覆われるような長さにすることもできる。
【００３３】
図４は、下側ブロック１がホイストから垂直に吊り下げられた配向における、カバー要素８がない状態の１つのカバーフード６を示す。選択された面は、下側ブロック１の前側又は後側であり、出入口用開口７のうちの一方が明確に見えるように、ケーブルプーリー２の回転軸に垂直である。出入口用開口７は、端部が丸まった細長い矩形の形態を有する。出入口用開口７の幅Ｂは、荷重ケーブル３の直径Ｄの約２〜３倍に対応する。また、出入口用開口７の長さは、荷重ケーブル３の直径Ｄの約１０〜１５倍、又は、カバーフード６の周縁の約１／６に対応する。
【００３４】
図２又は３と併せて図４を参照すると、同図は、カバーフード６の周面において、カバーフード６の最上点の角度が０°に設定されていると前提とすると、第１出入口用開口７が、約４０°で始まり１００°まで続いていることを示しており、反対側の第２出入口用開口７が、２６０°の領域で始まり３２０°で終結することを示している。カバー要素８は、可能な限り上方に移動した基準位置において、出入口用開口７の下端を覆うことができるような長さに設定されている。可能な限り下方に移動した変位位置においては、出入口用開口７の上端は覆われていない。しかしながら、作業者の怪我の危険性に関して言えば、この上側の領域は、通常、アクセス可能な領域ではないため、開放した状態のままであってもよい。
【００３５】
図５は、図４を垂直断面で見た図であり、カバー要素８が通路９ａの領域で切断されている。通路９ａに関して説明すると、同図から分かるように、通路９ａは、ケーブルプーリー２から始まり、カバーフード６の周方向を横切って上方に広がっている。このため、荷重ケーブル３は、横方向にも向きを変えて、荷重ケーブル３と通路９ａの内壁との間に過大な摩擦が生じないようにすることができる。これに対して、図２及び３から分かるように、通路９ａは、周方向にはほとんど広がっていない。これは、出入口用開口７におけるカバー要素８の変位により、ケーブルの方向変位が可能であるからである。
【００３６】
さらに、図５は、カバー要素８が、上端が三角形状のガイド領域８ｂとして形成された主ストリップ８ａを用いて、外側から出入口用開口７の縁を覆っていることを示している。ガイド領域８ｂにおいて、主ストリップ８ａは、ウェブストリップ８ｄを介して保持ストリップ８ｃに接続しており、この保持ストリップは、出入口用開口７の縁６ｃの後側で係合している（図６を参照）。したがって、保持ストリップ８ｃは、中央のウェブストリップ８ｄによって主ストリップ８ａの下側に固定されており、この領域において、カバー要素８は、Ｈ字形状の断面を有する。この結果、カバー要素８は、カバーフード６上を、その周方向に変位することができる。したがって、保持ストリップ８ｃは、縁６ｃに対向するガイド面８ｅが、縁６ｃの内面６ｅに接するように配置されている。開口９の領域にはウェブストリップ８ｄは設けられておらず、保持ストリップ８ｃは、ウェブストリップ８ｄにより開口９の前側及び後側で保持されている。図２において、保持ストリップ８ｃは、約３０°の領域に延在していることが分かる。主ストリップ８ａにおいて、底部でガイド領域８ｂに隣接する部分は、保持ストリップ８ｃ及びウェブストリップ８ｄを含まない。カバー要素８において、ガイド領域８ｂに保持ストリップ８ｃを有する残りの部分により、誘導を行うことができる。
【００３７】
図６は、図４の他の断面図を示しており、この断面は、ケーブルプーリー２の軸１３を通るように切断されたものである。軸１３は、接続要素４のコンポーネントである。ケーブルプーリー２は、ベアリング１４を用いて軸１３に取り付けられる。軸１３又は接続要素４は、板金成形部品として形成された円形状の内側及び外側のフード部６ａ、６ｂを支持する働きをする。最初に軸に対してスライドされる内側フード部６ｂは、軸１３を区切る接続要素４のショルダー部に支持され、続いてベアリング１４、次に外側フード部６ａがスライドされる。この外側フード部は、ロックリング１５により軸１３に保持される。さらに、環状の外側フード部６ａは、軸１３の領域において、円形カバー１９により閉じられる。また、主ストリップ８ａは、断面が帯状であることが分かる。
【００３８】
図７は、下側ブロック１の外側にあって、未装着状態にあるカバー要素８の第１カバー部８ｆを示す斜視図である。上述したように、第１カバー部８ｆは、実質的には、円弧形状の主ストリップ８ａからなり、当該主ストリップは、装着状態においてカバーフード６の外面６ｄに設けられる。カバー要素８の略中央から見ると、主ストリップ８ａの上部が広がって、三角形状のガイド領域８ｂを形成するあるいはこのガイド領域に遷移している。主ストリップ８ａの下部は帯状のままであり、カバー要素８の周方向に見て、中央で断面がＵ形状になり、縁ストリップ８ｈが主ストリップ８ａの縁に横方向に隣接している。これらの縁ストリップ８ｈは、主ストリップ８ａの下端に向かって漸減しており、主ストリップ８ａの端部には存在しない。さらに、互いに平行且つ離間して延びる主ストリップ８ａ用の補強リブ８ｉが、主ストリップ８ａの内面に設けられている。これらの補強リブにより、出入口用開口７が確実に覆われるとともに、材料を節約することができる。補強リブ８ｉの幅は、縁ストリップ８ｈの幅と同様に、主ストリップ８ａの下端に向かって漸減している。
【００３９】
ガイド領域８ｂにおいて、荷重ケーブル３のための開口９が見える。第１カバー部８ｆの第１分離面８ｊの領域には、扁平円筒状の突起部１２がグリッド状に設けられており、これらの各々が、第１分離面８ｊから突出している。また、ネジ１７（図９ｄを参照）用の円筒状のネジ穴１６が、ガイド領域８ｂにおいて、開口９の右側及び左側にそれぞれ設けられている。ネジ穴１６は、その縦方向の延長部分がケーブルプーリー２の回転軸と平行な状態で延在している。
【００４０】
これに加えて、図７には、底部において、ウェブストリップ８ｄと保持ストリップ８ｃとが、開口９に隣接するとともにカバーフード６の周方向に延在する領域で主ストリップ８ａに接続していることが示されている。開口９の領域において、ウェブストリップ８ｄは途切れており、保持ストリップ８ｃは連続している。保持ストリップ８ｃは、カバー要素８の長さの約１／３しかないため、カバー要素８が、カバーフード６の周方向に誘導されて変位可能であることは明らかである。
【００４１】
第２カバー部８ｇが第１分離面８ｊ上に配置されていないため、開口９は筒状ではなく、溝状に開いた状態である。
【００４２】
図８は、カバー要素８の第２カバー部８ｇを示す斜視図である。この第２カバー部は、筒状開口９を有するカバー要素８を形成するために、対応する取り付けを行った後、第１カバー部８ｆに結合される。図７に示す第１カバー部８ｆに関連して、第２カバー部８ｇは、第２分離面８ｋが見えるようにミラー反転して示されている。装着状態において、第１カバー部８ｆの第１分離面８ｊと第２カバー部８ｇの第２分離面８ｋとは互いに重なり合う。相対的な配向を容易に決定するとともに互いの接触を向上させるために、第２分離面８ｋには円筒状の穴１８がグリッド状に設けられており、当該穴１８は、２つのカバー部８ｆ、８ｇが装着された状態において、形状篏合するように、第１分離面８ｊの突起部１２を受容する。穴１８は、さらに、突起部１２と係合すると、横方向の力を吸収してネジ１７にかかる負荷を軽減する。また、第１カバー部８ｆにおいて、ネジ１７用のネジ穴１６は、それぞれ開口９に隣接して左右に設けられている。第２カバー部８ｇの形状は、ガイド領域８ｂと同様、実質的に三角形状である。第１カバー部８ｊと同様に、第２カバー部８ｇの主ストリップ８ａの領域にも、ウェブストリップ８ｄを介して保持ストリップ８ｃが設けられている。ウェブストリップ８ｄ及び保持ストリップ８ｃは、開口９に隣接しており、この位置から始まって、第２カバー部８ｇの主ストリップ８ａの一部に亘ってのみ延設されている。開口９の領域において、ウェブストリップ８ｄは途切れている。ウェブストリップ８ｄ及び保持ストリップ８ｃの領域において、第１カバー部８ｆ及び第２カバー部８ｇは、取り付けが完了した状態において、第１カバー部８ｆ及び第２カバー部８ｇのそれぞれのウェブストリップ８ｄ及び保持ストリップ８ｃの部分が結合されて完全な保持ストリップ８ｃ及び完全なウェブストリップ８ｄを形成し、これらのストリップが出入口用開口７の左右の縁７ａの後側で係合するように、形成されている。
【００４３】
図９ａ〜９ｄは、下側ブロック１のカバーフード６にカバー要素８を取り付けるために必要な個々のステップを詳細に説明するための、カバー要素８の第１カバー部８ｆ及び第２カバー部８ｇを示す一連の斜視図である。第１取り付けステップにおいて、出入口用開口７を閉じるべく、当該出入口用開口から出ている荷重ケーブル３の領域に開口９を配置させた状態で、第１カバー部８ｆをスライドさせる（図９ａを参照）。カバー部８ｆと出入口用開口７との間には間隔が空いている。次に、第２取り付けステップにおいて、第１カバー部８ｆの主ストリップ８ａがカバーフード６の外面６ｄに配置されるまで、荷重ケーブル３に沿って出入口用開口７の方向に当該第１カバー部を押し動かす。出入口用開口７は、第１カバー部８ｆにおける保持ストリップ８ｃの部分よりも広いため、保持ストリップ８ｃは、スライドされたときに、出入口用開口７の縁７を通り越してカバーフード６の内部に入り込むことができる。次に、第３取り付けステップにおいて、カバーフード６の外面６ｄに配置された第１カバー部８ｆを、ケーブルプーリー２の軸１３と平行に延びる取り付け方向Ｍ２に沿って、左側に横方向に押し動かす（図９ｂを参照）。この結果、保持ストリップ８ｃの左側部分が、出入口用開口７の左側の縁７ａの後側で係合され、ケーブルプーリー２の径方向において出入口用開口７で保持される。このとき、出入口用開口７の上部が開放されるように、第１カバー部８ｆを、出入口用開口７の下端の方向に変位させる。次に、第４取り付けステップにおいて、第２カバー部８ｇの主ストリップ８ａがカバーフード６の外面６ｄに配置されるまで、出入口用開口７の上部の開放された部分に、当該第２カバー部を挿入する（図９ｃを参照）。出入口用開口７は、第２カバー部８ｇにおける保持ストリップ８ｃの右側部分よりも広いため、保持ストリップ８ｃは、スライドされたときに、出入口用開口７の縁７を通り越してカバーフード６の内部に入り込むことができる。次に、第５取り付けステップにおいて、カバーフード６の外面６ｄに配置された第２カバー部８ｆを、ケーブルプーリー２の軸１３と平行に延びる取り付け方向Ｍ３に沿って、右側に横方向に押し動かす。結果として、保持ストリップ８ｃの右側部分が、出入口用開口７の右側の縁７ａの後側で係合される。その後、第６取り付けステップにおいて、第２カバー部８ｇの前端が第１カバー部８ｆに接触するまで、カバーフード６の外面６ｄに沿って取り付け方向Ｍ４に第２カバー部８ｇを押し動かして、当該第２カバー部を第１カバー部８ｆのガイド領域８ｂに移動させる。このとき、保持ストリップ８ｃの右側部分は、出入口用開口７の右側の縁７ａの後側で係合したままである。第７取り付けステップにおいて、右側及び左側のカバー部８ｆ、８ｇを、ケーブルプーリー２の軸と平行に延びる取り付け方向Ｍ５において、互いに重なるようにスライドさせることにより、第１及び第２の分離面８ｊ、８ｋを当接させ、各突起部１２が、穴１８に入り込むようにする（図９ｄを参照）。突起部１２の高さは、約０．５ｍｍ〜３．０ｍｍの間で選択される。この理由は、２つのカバー部８ｆ、８ｇが互いに重なるようにスライドされた後、右側と左側の保持ストリップ８ｃが出入口用開口７の縁７ａの後側で確実に係合し、且つ、少なくとも突起部１２の高さと対応する横方向の小さな隙間がある状態で、カバー要素８が、出入口用開口７に保持されるようにするためである。続いて、ネジ１７がネジ穴１６に差し込まれ、第２カバー部８ｇが、第１カバー部８ｆにねじ止めされる。
【符号の説明】
【００４４】
１    下側ブロック
２    ケーブルプーリー
３    荷重ケーブル
４    接続要素
５    荷重フック
６    カバーフード
６ａ    外側フード部
６ｂ    内側フード部
６ｃ    縁
６ｄ    外面
６ｅ    内面
７    出入口用開口
７ａ    出入口用開口の縁
８    カバー要素
８ａ    主ストリップ
８ｂ    荷重ケーブル３のためのガイド領域
８ｃ    保持ストリップ
８ｄ    ウェブストリップ
８ｅ    ガイド面
８ｆ    第１カバー部
８ｇ    第２カバー部
８ｈ    ガイドストリップ
８ｉ    補強リブ
８ｊ    第１分離面
８ｋ    第２分離面
９    開口
９ａ    通路
１０    係合離脱点
１１    凹状把持部
１２    突起部
１３    軸
１４    ベアリング
１５    ロックリング
１６    ネジ穴
１７    ネジ
１８    穴
１９    カバー
Ｂ    出入口用開口７の幅
Ｄ    荷重ケーブルの直径
Ｌ    出入口用開口７の長さ
Ｍ    中心点
Ｍ１    第１取り付け方向
Ｍ２    第２取り付け方向
Ｍ３    第３取り付け方向
Ｍ４    第４取り付け方向
Ｍ５    第５取り付け方向
Ｕ    周方向
【図１】
0006506421.tif 000002
【図２】
0006506421.tif 000003
【図３】
0006506421.tif 000004
【図４】
0006506421.tif 000005
【図５】
0006506421.tif 000006
【図６】
0006506421.tif 000007
【図７】
0006506421.tif 000008
【図８】
0006506421.tif 000009
【図９ａ】
0006506421.tif 000010
【図９ｂ】
0006506421.tif 000011
【図９ｃ】
0006506421.tif 000012
【図９ｄ】
0006506421.tif 000013